(57)【要約】【課題】本発明が解決しようとする課題は、プリンタに大容量のメモリを搭載することなくエラーの解除方法を動画で表示することが可能な動画配信システム、情報端末および動作機器を提供することである。【解決手段】実施形態の動画配信システムは、動作機器と、情報端末とを備えた動画配信システムであって、前記動作機器は、発生したエラーの複数の解除段階において動画の表示を指示する信号を前記情報端末に送信する送信部、を備え、前記情報端末は、表示部と、前記動作機器のエラーを解除する手順を前記複数の解除段階に対応して段階的に示す動画情報を記憶する動画記憶部と、前記各解除段階において前記動作機器から前記動画の表示を指示する信号を受信する度に、前記動画情報から次の手順を指示する動画を前記表示部に表示する表示制御部と、を備える。【選択図】図９
2020205499.tif 000002
【特許請求の範囲】
【請求項１】
動作機器と、情報端末とを備えた動画配信システムであって、
前記動作機器は、
発生したエラーの複数の解除段階において動画の表示を指示する信号を前記情報端末に送信する送信部、
を備え、
前記情報端末は、
表示部と、
前記動作機器のエラーを解除する手順を前記複数の解除段階に対応して段階的に示す動画情報を記憶する動画記憶部と、
前記各解除段階において前記動作機器から前記動画の表示を指示する信号を受信する度に、前記動画情報から次の手順を指示する動画を前記表示部に表示する表示制御部と、
を備えた動画配信システム。
【請求項２】
表示部と、
動作機器で発生したエラーを解除する手順を複数のエラーの解除段階に対応して段階的に示す動画情報を記憶する動画記憶部と、
前記エラーの複数の解除段階において前記動作機器から動画の表示を指示する信号を受信する度に、前記動画情報から次の手順を指示する動画を前記表示部に表示する表示制御部と、
を備えた情報端末。
【請求項３】
前記動画記憶部には、前記動作機器から最初の段階の前記動画の表示を指示する信号を受信すると、動画配信サーバから前記動画情報を一度に記憶される、
請求項２に記載の情報端末。
【請求項４】
前記動画記憶部には、前記動作機器から前記動画の表示を指示する信号を受信する度に、動画配信サーバから次の手順を指示する動画情報を受信して記憶される、
請求項２に記載の情報端末。
【請求項５】
動画記憶部と
発生したエラーの複数の解除段階において動画の表示を指示する信号を動画配信サーバに送信する送信部と、
前記動画配信サーバに送信した前記信号に対応した段階のエラーを解除するための手順を示す動画情報を動画配信サーバから受信して前記動画記憶部に記憶する記憶制御部と、
記憶した前記動画情報に係る動画を表示部に表示する表示制御部と、
を備えた動作機器。
【発明の詳細な説明】
【技術分野】
【０００１】
本発明の実施形態は、動画配信システム、情報端末および動作機器に関する。
【背景技術】
【０００２】
例えばラベルやレシート用紙等の用紙に情報を印字するプリンタにおいてエラーが発生した場合、エラーの解除方法を示すメッセージをプリンタの表示部に表示する。しかしながら、プリンタのエラーの解除方法は複雑な場合があり、メッセージを表示部に表示するだけでは分かりづらいことがある。
【０００３】
その対策として、エラーの解除方法を示す動画をプリンタの表示部に表示させることが有効ではあるが、そのためには、動画を記憶するための大容量のメモリをプリンタが搭載する必要があり、特に安価なプリンタでは現実的ではない。
【発明の概要】
【発明が解決しようとする課題】
【０００４】
本発明が解決しようとする課題は、プリンタに大容量のメモリを搭載することなくエラーの解除方法を動画で表示することが可能な動画配信システム、情報端末および動作機器を提供することである。
【課題を解決するための手段】
【０００５】
実施形態の動画配信システムは、動作機器と、情報端末とを備えた動画配信システムであって、前記動作機器は、発生したエラーの複数の解除段階において動画の表示を指示する信号を前記情報端末に送信する送信部、を備え、前記情報端末は、表示部と、前記動作機器のエラーを解除する手順を前記複数の解除段階に対応して段階的に示す動画情報を記憶する動画記憶部と、前記各解除段階において前記動作機器から前記動画の表示を指示する信号を受信する度に、前記動画情報から次の手順を指示する動画を前記表示部に表示する表示制御部と、を備える。
【図面の簡単な説明】
【０００６】
【図１】図１は、第１実施形態に係る動画配信システムを示す図である。
【図２】図２は、プリンタのハードウェア構成を示すブロック図である。
【図３】図３は、情報端末のハードウェア構成を示すブロック図である。
【図４】図４は、動画配信サーバのハードウェア構成を示すブロック図である。
【図５】図５は、動画情報部の構成を示すメモリマップである。
【図６】図６は、動画配信システムの機能構成を示す機能ブロック図である。
【図７】図７は、プリンタの制御処理の流れを示すフローチャートである。
【図８】図８は、エラー処理に係るプリンタの制御処理の流れを示すフローチャートである。
【図９】図９は、情報端末の制御処理の流れを示すフローチャートである。
【図１０】図１０は、動画配信サーバの制御処理の流れを示すフローチャートである。
【図１１】図１１は、第１実施形態の変形例に係る情報端末の制御処理の流れを示すフローチャートである。
【図１２】図１２は、第１実施形態の変形例に係る動画配信サーバの制御処理の流れを示すフローチャートである。
【図１３】図１３は、第２実施形態に係る動画配信システムを示す図である。
【図１４】図１４は、第２実施形態に係るプリンタのハードウェア構成を示すブロック図である。
【図１５】図１５は、第２実施形態に係る動画配信システムの機能構成を示す機能ブロック図である。
【図１６】図１６は、第２実施形態のエラー処理に係るプリンタの制御処理の流れを示すフローチャートである。
【図１７】図１７は、第２実施形態に係る動画配信サーバの制御処理の流れを示すフローチャートである。
【発明を実施するための形態】
【０００７】
（第１実施形態）
以下、第１実施形態について説明する。実施形態では、動作機器の一例として、長尺状の用紙に情報を印字するプリンタを用いて説明する。なお、以下に説明する実施形態により、この発明が限定されるものではない。
【０００８】
図１は、第１実施形態に係る動画配信システムを示す図である。図１に示すように、動画配信システム１０は、プリンタ１と情報端末３を備える。また、動画配信システム１０と接続される動画配信サーバ５を備える。プリンタ１と情報端末３は、例えばＮＦＣ（Near  Field  Communication）等の通信回線Ｌ１で相互に通信可能に接続される。情報端末３と動画配信サーバ５は、例えば無線ＬＡＮ（Local  Area  Network）等の通信回線Ｌ２で相互に通信可能に接続される。
【０００９】
プリンタ１は、例えば作業者が腰に装着して使用する小型で軽量のプリンタである。プリンタ１は、例えば倉庫での棚卸における在庫管理や、電気・ガス・水道等の検針票の発行に使用する。
【００１０】
プリンタ１は、内部に長尺状の用紙がロール状に巻回されたロール紙を収納する。プリンタ１は、ロール紙を収納するために開閉するカバー１ａを備える。用紙は例えば感熱紙で構成される。また、プリンタ１は、ライン状に配列された発熱素子を備えた印字ヘッドを含む印字部を備える。印字部は、搬送された用紙に情報を印字して発行する。
【００１１】
プリンタ１にロール紙を収納するには、カバー１ａを開放し、ロール紙を収納し、カバー１ａを閉止する。プリンタ１は、印字部を用いてロール紙から引き出された用紙に対して印字を行う。
【００１２】
プリンタ１に収納されている用紙がなくなった場合には、プリンタ１は用紙エンド信号（エラー信号の一つ）を出力する。作業者は、プリンタ１のカバー１ａを開放して、新しいロール紙を補充し、カバー１ａを閉止する。
【００１３】
プリンタ１は、エラーが発生すると、エラーが発生したことを示すエラー信号、エラーを解除する処理が行われて一定の解除段階に達したことを示す段階信号を、通信回線Ｌ１を介して情報端末３に送信する。エラー信号を含む段階信号が、動画の表示を指示する信号に該当する。エラー信号および段階信号には、エラーの種類を示す情報（エラー番号）が含まれる。また、段階信号は、エラーの種類によって解除段階の数が異なり、１回または複数回の解除段階においてそれぞれの段階信号を送信する。例えば、用紙エンドのエラーの場合、最初に用紙エンド信号（エラー信号）を送信し、その後、２回の解除段階でそれぞれの段階信号を送信する。具体的には、プリンタ１は、最初に用紙エンドを示す用紙エンド信号を送信し、その後、ロール紙が補充された第１解除段階に第１段階信号を情報端末３に送信し、また用紙を補充後にカバー１ａが閉止された第２解除段階に第２段階信号を情報端末３に送信する。用紙エンド信号、第１段階信号、第２段階信号は異なる段階信号であるため、情報端末３は、用紙エンドの段階に送信された用紙エンド信号と、第１解除段階に送信された第１段階信号と、第２解除段階に送信された第２段階信号を区別することができる。なお、用紙エンドの段階、第１解除段階、第２解除段階が複数の解除段階に相当する。
【００１４】
情報端末３は、例えば携帯電話、スマートフォン、タブレット端末、ＰＤＡ（Personal  Digital  Assistant）等で構成される。情報端末３は、プリンタ１で発生するエラーを解除するための動画情報を記憶する。情報端末３は、プリンタ１から段階信号の一つであるエラー信号を受信すると、通信回線Ｌ２を介して動画配信サーバ５に対し、当該エラー信号（エラー番号を含む）と、当該エラーに係る動画配信を要求する信号を送信する。また、情報端末３は、動画配信サーバ５から当該エラーに係る動画情報を受信して記憶する。動画配信サーバ５から受信した動画情報には、当該エラーの解除に係るすべての解除段階における動画の情報が含まれる。
【００１５】
情報端末３は、記憶した動画情報から、エラー信号が送信された解除段階の動画を表示部３８（図３を参照）に表示する。また、情報端末３は、その後の解除段階における段階信号を受信すると、記憶した動画情報から、当該段階信号に対応した動画を表示部３８に表示する。
【００１６】
動画配信サーバ５は、プリンタ１で発生する複数種類のエラーに係るエラーを解除する手順を各解除段階に対応して示す動画情報を動画情報部５４２（図４を参照）記憶する。動画配信サーバ５は、情報端末３から、エラー信号および当該エラーに係る動画配信を要求する情報を受信すると、当該エラー信号に含まれるエラー番号に基づいてエラーの種類を特定する。そして動画配信サーバ５は、特定したエラーに係るエラーを解除する手順を解除段階毎に示す動画情報を、送信要求があった情報端末３に送信する。
【００１７】
ここからは、プリンタ１のハードウェアについて説明する。図２は、プリンタ１のハードウェア構成を示すブロック図である。図２に示すように、プリンタ１は、ＣＰＵ（Central  Processing  Unit）１１、ＲＯＭ（Read  Only  Memory）１２、ＲＡＭ（Random  Access  Memory）１３、メモリ部１４等を備えている。ＣＰＵ１１は制御主体となる。ＲＯＭ１２は各種プログラムを記憶する。ＲＡＭ１３はプログラムや各種データを展開する。メモリ部１４は各種プログラムを記憶する。ＣＰＵ１１、ＲＯＭ１２、ＲＡＭ１３、メモリ部１４は、互いにバス１５を介して接続されている。ＣＰＵ１１とＲＯＭ１２とＲＡＭ１３が、制御部１００を構成する。すなわち、制御部１００は、ＣＰＵ１１がＲＯＭ１２やメモリ部１４に記憶されＲＡＭ１３に展開された制御プログラムに従って動作することによって、後述するプリンタ１の制御処理を実行する。
【００１８】
ＲＡＭ１３は、印字データ部１３１を備える。印字データ部１３１は、用紙に印字する情報を記憶する。
【００１９】
メモリ部１４は、ＳＳＤ（Solid  State  Drive）、ＨＤＤ（Hard  Disc  Drive）、フラッシュメモリ等で構成されており、電源を遮断しても記憶内容を維持する。メモリ部１４は、制御プログラム部１４１を備える。制御プログラム部１４１はプリンタ１を制御するための制御プログラムを記憶する。
【００２０】
制御部１００は、バス１５とコントローラ１６を介して、操作部１７、表示部１８、印字部１９、用紙搬送部２０、用紙センサ２１、カバーセンサ２２を備える。操作部１７は、プリンタ１を操作するキーである。表示部１８は、プリンタ１を操作する操作者に対し、情報を表示する。印字部１９は、搬送された用紙に対し、印字データ部１３１に記憶されている情報を印字する。用紙搬送部２０は、ロール紙を引き出して、印字部１９に対して用紙を搬送する。用紙センサ２１は、発光部と受光部を備えた光をセンサであり、用紙の有無を検出する。用紙センサ２１が用紙なしを検出した場合に、制御部１００は、用紙エンドと判断する。カバーセンサ２２は、カバー１ａの開放状態、およびカバー１ａの閉止状態を検出する。
【００２１】
また、制御部１００は、バス１５を介して、通信Ｉ／Ｆ２３と接続する。通信Ｉ／Ｆ２３は、通信回線Ｌ１を介して、情報端末３と相互に情報の送受信が可能である。
【００２２】
ここからは、情報端末３のハードウェアについて説明する。図３は、情報端末３のハードウェア構成を示すブロック図である。図３に示すように、情報端末３は、ＣＰＵ３１、ＲＯＭ３２、ＲＡＭ３３、メモリ部３４等を備えている。ＣＰＵ３１は制御主体となる。ＲＯＭ３２は各種プログラムを記憶する。ＲＡＭ３３はプログラムや各種データを展開する。メモリ部３４は各種プログラムを記憶する。ＣＰＵ３１、ＲＯＭ３２、ＲＡＭ３３、メモリ部３４は、互いにバス３５を介して接続されている。ＣＰＵ３１とＲＯＭ３２とＲＡＭ３３が、制御部３００を構成する。すなわち、制御部３００は、ＣＰＵ３１がＲＯＭ３２やメモリ部３４に記憶されＲＡＭ３３に展開された制御プログラムに従って動作することによって、後述する情報端末３の制御処理を実行する。
【００２３】
ＲＡＭ３３は、動画記憶部３３１を備える。動画記憶部３３１は、動画配信サーバ５から受信した、プリンタ１で発生したエラーを解除する手順を複数の解除段階に対応して段階的に示す動画情報を記憶する。
【００２４】
メモリ部３４は、ＳＳＤ、ＨＤＤ、フラッシュメモリ等で構成されており、電源を遮断しても記憶内容を維持する。メモリ部３４は、制御プログラム部３４１を備える。制御プログラム部３４１は光透過率検出器３を制御するための制御プログラムを記憶する。
【００２５】
制御部３００は、バス３５とコントローラ３６を介して、操作部３７と表示部３８を備える。操作部３７は、情報端末３を操作するキーである。表示部１８は、情報端末３を操作する操作者に対し、情報を表示する。また、表示部１８は、動画記憶部３３１に記憶されている動画情報に係る動画を表示する。
【００２６】
また、制御部３００は、バス３５を介して、通信Ｉ／Ｆ３９と接続する。通信Ｉ／Ｆ３９は、通信回線Ｌ１を介して、プリンタ１と相互に情報の送受信が可能である。また、制御部３００は、バス３５を介して、通信Ｉ／Ｆ４０と接続する。通信Ｉ／Ｆ４０は、通信回線Ｌ２を介して、動画配信サーバ５と相互に情報の送受信が可能である。
【００２７】
ここからは、動画配信サーバ５のハードウェアについて説明する。図４は、動画配信サーバ５のハードウェア構成を示すブロック図である。図４に示すように、動画配信サーバ５は、ＣＰＵ５１、ＲＯＭ５２、ＲＡＭ５３、メモリ部５４等を備えている。ＣＰＵ５１は制御主体となる。ＲＯＭ５２は各種プログラムを記憶する。ＲＡＭ５３はプログラムや各種データを展開する。メモリ部５４は各種プログラムを記憶する。ＣＰＵ５１、ＲＯＭ５２、ＲＡＭ５３、メモリ部５４は、互いにバス５５を介して接続されている。ＣＰＵ５１とＲＯＭ５２とＲＡＭ５３が、制御部５００を構成する。すなわち、制御部５００は、ＣＰＵ５１がＲＯＭ５２やメモリ部５４に記憶されＲＡＭ５３に展開された制御プログラムに従って動作することによって、後述する動画配信サーバ５の制御処理を実行する。
【００２８】
メモリ部５４は、ＳＳＤ、ＨＤＤ、フラッシュメモリ等で構成されており、電源を遮断しても記憶内容を維持する。メモリ部５４は、制御プログラム部５４１と動画情報部５４２を備える。制御プログラム部５４１は動画配信サーバ５を制御するための制御プログラムを記憶する。動画情報部５４２は、プリンタ１で発生する可能性があるすべてのエラーについて、エラーを解除する手順をエラーの解除段階に対応して段階的に示す動画情報を記憶する。動画情報部５４２については、図５で後述する。
【００２９】
また、制御部５００は、バス５５を介して、通信Ｉ／Ｆ５９と接続する。通信Ｉ／Ｆ５９は、通信回線Ｌ２を介して、情報端末３と相互に情報の送受信が可能である。
【００３０】
次に、動画情報部５４２について説明する。動画情報部５４２は、プリンタ１で発生する可能性があるすべてのエラーについて、エラーを解除する手順をエラーの解除段階に対応して段階的に示す動画情報を記憶する。図５は、動画情報部５４２の構成を示すメモリマップである。動画情報部５４２は、エラー番号部５４２１と段階動画記憶部５４２２とを備える。エラー番号部５４２１は、エラーの種類を特定するためのエラー番号を記憶する。段階動画記憶部５４２２は、エラー番号部５４２１に記憶されているエラー番号に対応付けて、当該エラーを解除するための手順を、解除段階に対応して、段階信号別に記憶する。例えば、段階動画記憶部５４２２は、エラー番号「００１」の用紙エンドエラーについて、段階信号の一つである用紙エンド信号に対応付けられた第１動画、第１段階信号に対応付けられた第２動画、第２段階信号に対応付けられた第３動画を記憶する。また、段階動画記憶部５４２２は、エラー番号「００２」のエラーについて、エラー信号に対応付けられた第１動画、第１段階信号に対応付けられた第２動画を記憶する。また、段階動画記憶部５４２２は、エラー番号「００３」のエラーについて、エラー信号に対応付けられた第１動画、第１段階信号に対応付けられた第２動画、第２段階信号に対応付けられた第３動画を記憶する。段階動画記憶部５４２２は、その他のエラーについても動画を段階信号別に記憶する。
【００３１】
ここからは、動画配信システム１０の機能構成について説明する。具体的には、プリンタ１の機能構成と情報端末３の機能構成について説明する。図６は、動画配信システム１０の機能構成を示す機能ブロック図である。プリンタ１の制御部１００は、制御プログラム部１４１に記憶され、ＲＡＭ１３に展開された制御プログラムに従うことで、送信部１０１として機能する。
【００３２】
送信部１０１は、発生したエラーの種類を含む複数の解除段階の動画の表示を指示する信号を情報端末３に送信する。具体的には、送信部１０１は、プリンタ１にエラーが発生すると、複数の解除段階の動画の表示を指示する信号（エラー信号を含む段階信号）を情報端末３に送信する。
【００３３】
また、情報端末３の制御部３００は、制御プログラム部３４１に記憶され、ＲＡＭ３３に展開された制御プログラムに従うことで、表示制御部３０１として機能する。
【００３４】
表示制御部３０１は、プリンタ１からエラー信号および段階信号を受信する度に、エラーの種類に対応した受信した段階の動画の表示を指示する信号に対応した動画情報に基づく動画を表示する。具体的には、表示制御部３０１は、プリンタ１からエラー信号を受信すると、動画配信サーバ５の動画情報部５４２に記憶されているエラーを解除するための動画情報から、当該エラーに係る動画情報を受信して動画記憶部３３１に記憶する。そして表示制御部３０１は、動画記憶部３３１に記憶した動画情報からエラー信号に対応した動画情報に基づく動画を表示する。次に表示制御部３０１は、プリンタ１から段階信号を受信すると、動画記憶部３３１に記憶した動画情報から、当該段階信号に対応した動画情報に基づく動画を表示する。
【００３５】
ここからは、プリンタ１の制御について説明する。図７は、プリンタ１の制御処理の流れを示すフローチャートである。図７に示すように、プリンタ１の制御部１００は、印字データ部１３１に印字する情報が記憶されているかを判断する（Ｓ１１）。印字する情報は、例えばプリンタ１と通信が可能な親機であるＰＣ（Personal  Computer）から受信する。印字データ部１３１に印字する情報が記憶されていると判断した場合には（Ｓ１１のＹｅｓ）、制御部１００は、印字部１９を駆動して、印字データ部１３１に記憶されている情報を用紙に印字する（Ｓ１２）。そして制御部１００は、Ｓ１１に戻る。
【００３６】
また、印字データ部１３１には印字する情報は記憶されていないと判断した場合には（Ｓ１１のＮｏ）、制御部１００は、プリンタ１でエラーが発生したかを判断する（Ｓ１３）。制御部１００は、プリンタ１に設けられた各種センサからの出力に基づいて、プリンタ１でエラーが発生したかを判断する。プリンタ１でエラーが発生したと判断した場合には（Ｓ１３のＹｅｓ）、制御部１００は、発生したエラーを解除するために、当該エラーに対するエラー処理を実行する（Ｓ１４）。そして制御部１００は、Ｓ１１に戻る。
【００３７】
図８は、Ｓ１４で処理されるエラー処理に係るプリンタ１の制御処理の流れを示すフローチャートである。なお、図８では、プリンタ１に収納された用紙がなくなった場合の用紙エンドのエラーの処理を一例として説明する。制御部１００は、発生したエラーが用紙エンドのエラーであるかを判断する（Ｓ２１）。用紙センサ２１が用紙なしを検出した出力をしている場合には、制御部１００は、発生したエラーが用紙エンドのエラーであると判断する。発生したエラーが用紙エンドのエラーであると判断した場合には（Ｓ２１のＹｅｓ）、送信部１０１は、発生したエラーの種類特定するエラー番号を含む段階信号である用紙エンド信号（エラー信号）を情報端末３に送信する（Ｓ２２）。
【００３８】
次に制御部１００は、プリンタ１に用紙が補充されたかを判断する（Ｓ２３）。ロール紙が補充されて用紙センサ２１が用紙ありを検出した出力をした場合には、制御部１００は、用紙が補充されたと判断する。用紙が補充されるまで待機し（Ｓ２３のＮｏ）、用紙が補充されと判断した場合には（Ｓ２３のＹｅｓ）、送信部１０１は、発生したエラーの種類特定するエラー番号を含む用紙補充信号（第１段階信号）を情報端末３に送信する（Ｓ２４）。
【００３９】
次に制御部１００は、カバー１ａが閉止されたかを判断する（Ｓ２５）。カバー１ａが閉止されてカバーセンサ２２がカバー１ａ閉止を検出した出力をした場合には、制御部１００は、カバー１ａが閉止されたと判断する。カバー１ａが閉止されるまで待機し（Ｓ２５のＮｏ）、カバー１ａが閉止されたと判断した場合には（Ｓ２５のＹｅｓ）、送信部１０１は、発生したエラーの種類特定するエラー番号を含むカバー閉止信号（第２段階信号）を情報端末３に送信する（Ｓ２６）。そして制御部１００は、Ｓ１１に戻る。
【００４０】
また、Ｓ２１において、発生したエラーが用紙エンドのエラーではないと判断した場合には（Ｓ２１のＮｏ）、制御部１００は、発生した他のエラーに係るエラー処理を実行する。そして制御部１００は、Ｓ１１に戻る。
【００４１】
ここからは、情報端末３の制御について説明する。図９は、情報端末３の制御処理の流れを示すフローチャートである。図９に示すように、情報端末３の制御部３００は、プリンタ１から送信された用紙エンド信号を受信したかを判断する（Ｓ３１）。プリンタ１から用紙エンド信号を受信したと判断した場合には（Ｓ３１のＹｅｓ）、制御部３００は、動画配信サーバ５に対し、用紙エンド信号と、用紙エンドのエラーを解除する手順を段階的に示す動画情報の配信を要求する信号を送信する（Ｓ３２）。
【００４２】
次に制御部３００は、動画配信サーバ５から、Ｓ３２で送信した要求に対する動画情報を受信したかを判断する（Ｓ３３）。Ｓ３２で送信した要求に対する動画情報を受信するまで待機し（Ｓ３３のＮｏ）、Ｓ３２で送信した要求に対する動画情報を受信したと判断した場合には（Ｓ３３のＹｅｓ）、制御部３００は、受信した動画情報を動画記憶部３３１に記憶する（Ｓ３４）。そして表示制御部３０１は、動画記憶部３３１に記憶した動画情報のうち、用紙エンド信号に対応した解除段階の動画情報に対応した第１動画を表示部３８に表示する（Ｓ３５）。第１動画は、例えば、プリンタ１のカバー１ａを開放し、ロール紙を補給するエラー処理を促す動画である。そして制御部３００は、Ｓ３１に戻る。
【００４３】
また、プリンタ１からの用紙エンド信号の受信ではないと判断した場合には（Ｓ３１のＮｏ）、制御部３００は、プリンタ１から送信された用紙補充信号を受信したかを判断する（Ｓ４１）。プリンタ１から用紙補充信号を受信したと判断した場合には（Ｓ４１のＹｅｓ）、表示制御部３０１は、動画記憶部３３１に記憶した動画情報のうち、用紙補充信号に対応した解除段階の動画情報に対応した第２動画を表示部３８に表示する（Ｓ４２）。第２動画は、例えば、プリンタ１のカバー１ａを閉止するエラー処理を促す動画である。そして制御部３００は、Ｓ３１に戻る。
【００４４】
また、プリンタ１からの用紙補充信号の受信ではないと判断した場合には（Ｓ４１のＮｏ）、制御部３００は、プリンタ１から送信されたカバー閉止信号を受信したかを判断する（Ｓ５１）。プリンタ１からカバー閉止信号を受信したと判断した場合には（Ｓ５１のＹｅｓ）、表示制御部３０１は、動画記憶部３３１に記憶した動画情報のうち、カバー閉止信号に対応した解除段階の動画情報に対応した第３動画を表示部３８に表示する（Ｓ５２）。第３動画は、例えば、プリンタ１の操作部１７を操作して、用紙を所定の位置まで搬送する頭出しを行うエラー処理を促す動画である。そして制御部３００は、Ｓ３１に戻る。
【００４５】
ここからは、動画配信サーバ５の制御について説明する。図１０は、動画配信サーバ５の制御処理の流れを示すフローチャートである。図１０に示すように、動画配信サーバ５の制御部５００は、情報端末３から、Ｓ３２の処理に係る用紙エンド信号と動画情報の配信を要求する信号を受信したかを判断する（Ｓ６１）。動画情報の配信を要求する信号を受信するまで待機し（Ｓ６１のＮｏ）、動画情報の配信を要求する信号を受信したと判断した場合には（Ｓ６１のＹｅｓ）、制御部５００は、受信した用紙エンド信号に含まれるエラー番号に対応付けられたすべての動画情報を動画情報部５４２から抽出して、要求があった情報端末３に一度に送信する（Ｓ６２）。例えば、エラー番号「００１」に係る動画情報の配信を要求された場合、制御部５００は、動画情報部５４２からエラー番号「００１」に対応付けられた第１動画と第２動画と第３動画を、要求があった情報端末３に送信する。そして制御部５００は、Ｓ６１に戻る。
【００４６】
（第１実施形態の変形例）
ここからは、第１実施形態の変形例について説明する。第１実施形態では、Ｓ３２の処理による動画情報の配信を要求があると、エラー番号に対応付けられたすべての動画情報を要求があった情報端末３に一度に送信した。しかしながら変形例では、エラー情報や段階情報に基づいて、解除段階に対応した動画情報を段階的に情報端末３に送信する。
【００４７】
図１１は、第１実施形態の変形例に係る情報端末３の制御処理の流れを示すフローチャートである。図１１に示すように、情報端末３の制御部３００は、プリンタ１から送信された用紙エンド信号を受信したかを判断する（Ｓ７１）。プリンタ１から用紙エンド信号を受信したと判断した場合には（Ｓ７１のＹｅｓ）、制御部３００は、動画配信サーバ５に対し、用紙エンド信号と、エラーを解除する手順を示す第１段階の動画情報の配信を要求する信号を送信する（Ｓ７２）。
【００４８】
次に制御部３００は、動画配信サーバ５から、Ｓ７２で送信した要求に対する第１動画情報を受信したかを判断する（Ｓ７３）。第１動画情報を受信するまで待機し（Ｓ７３のＮｏ）、Ｓ７２で送信した要求に対する第１動画情報を受信したと判断した場合には（Ｓ７３のＹｅｓ）、制御部３００は、受信した第１動画情報を動画記憶部３３１に記憶する（Ｓ７４）。そして表示制御部３０１は、動画記憶部３３１に記憶した第１動画情報に対応した第１動画を表示部３８に表示する（Ｓ７５）。第１動画は、例えば、プリンタ１のカバー１ａを開放し、ロール紙を補給するエラー処理を促す動画である。そして制御部３００は、Ｓ３１に戻る。
【００４９】
また、プリンタ１からの用紙エンド信号の受信ではないと判断した場合には（Ｓ７１のＮｏ）、制御部３００は、プリンタ１から送信された用紙補充信号を受信したかを判断する（Ｓ８１）。プリンタ１から用紙補充信号を受信したと判断した場合には（Ｓ８１のＹｅｓ）、制御部３００は、動画配信サーバ５に対し、用紙補充信号とエラーを解除する手順を示す第２段階の動画情報の配信を要求する信号を送信する（Ｓ８２）。
【００５０】
次に制御部３００は、動画配信サーバ５から、Ｓ８２で送信した要求に対する第２動画情報を受信したかを判断する（Ｓ８３）。第２動画情報を受信するまで待機し（Ｓ８３のＮｏ）、Ｓ８２で送信した要求に対する第２動画情報を受信したと判断した場合には（Ｓ８３のＹｅｓ）、制御部３００は、受信した第２動画情報を動画記憶部３３１に記憶する（Ｓ８４）。そして表示制御部３０１は、動画記憶部３３１に記憶した第２動画情報に対応した第２動画を表示部３８に表示する（Ｓ８５）。第２動画は、例えば、プリンタ１のカバー１ａを閉止するエラー処理を促す動画である。そして制御部３００は、Ｓ８１に戻る。
【００５１】
また、プリンタ１からの用紙補充信号の受信ではないと判断した場合には（Ｓ８１のＮｏ）、制御部３００は、プリンタ１から送信されたカバー閉止信号を受信したかを判断する（Ｓ９１）。プリンタ１からカバー閉止信号を受信したと判断した場合には（Ｓ９１のＹｅｓ）、表示制御部３０１は、動画配信サーバ５に対し、カバー閉止信号とエラーを解除する手順を示す第３段階の動画情報の配信を要求する信号を送信する（Ｓ９２）。
【００５２】
次に制御部３００は、動画配信サーバ５から、Ｓ９２で送信した要求に対する第３動画情報を受信したかを判断する（Ｓ９３）。第３動画情報を受信するまで待機し（Ｓ９３のＮｏ）、Ｓ９２で送信した要求に対する第３動画情報を受信したと判断した場合には（Ｓ９３のＹｅｓ）、制御部３００は、受信した第３動画情報を動画記憶部３３１に記憶する（Ｓ９４）。そして表示制御部３０１は、動画記憶部３３１に記憶した第３動画情報に対応した第３動画を表示部３８に表示する（Ｓ９５）。第３動画は、例えば、プリンタ１の操作部１７を操作して、用紙を所定の位置まで搬送する頭出しを行うエラー処理を促す動画である。そして制御部３００は、Ｓ８１に戻る。
【００５３】
図１２は、第１実施形態の変形例に係る動画配信サーバ５の制御処理の流れを示すフローチャートである。図１２に示すように、動画配信サーバ５の制御部５００は、情報端末３から、Ｓ７２の処理に係る用紙エンド信号と第１段階の動画情報の配信を要求する信号を受信したかを判断する（Ｓ１０１）。用紙エンド信号と第１段階の動画情報の配信を要求する信号を受信したと判断した場合には（Ｓ１０１のＹｅｓ）、制御部５００は、動画情報部５４２から、用紙エンド信号に含まれるエラー番号に対応付けられた第１動画情報を抽出して、情報端末３に送信する（Ｓ１０２）。そして制御部５００は、Ｓ１０１に戻る。
【００５４】
また、第１段階の動画情報の配信を要求する信号の受信ではないと判断した場合には（Ｓ１０１のＮｏ）、制御部５００は、情報端末３から、Ｓ８２の処理に係る用紙補充信号と第２段階の動画情報の配信を要求する信号を受信したかを判断する（Ｓ１０３）。用紙補充信号と第２段階の動画情報の配信を要求する信号を受信したと判断した場合には（Ｓ１０３のＹｅｓ）、制御部５００は、動画情報部５４２から、用紙補充信号に含まれるエラー番号に対応付けられた第２動画情報を抽出して、情報端末３に送信する（Ｓ１０４）。そして制御部５００は、Ｓ１０１に戻る。
【００５５】
また、第２段階の動画情報の配信を要求する信号の受信ではないと判断した場合には（Ｓ１０３のＮｏ）、制御部５００は、情報端末３から、Ｓ９２の処理に係るカバー閉止信号と第３段階の動画情報の配信を要求する信号を受信したかを判断する（Ｓ１０５）。カバー閉止信号と第３段階の動画情報の配信を要求する信号を受信したと判断した場合には（Ｓ１０５のＹｅｓ）、制御部５００は、動画情報部５４２から、カバー閉止信号に含まれるエラー番号に対応付けられた第３動画情報を抽出して、情報端末３に送信する（Ｓ１０６）。そして制御部５００は、Ｓ１０１に戻る。
【００５６】
このように、第１実施形態および第１実施形態の変形例によれば、動画配信システム１０は、プリンタ１と、情報端末３とを備えた動画配信システムであって、プリンタ１は、発生したエラーの複数の解除段階において段階信号（動画の表示を指示する信号）を前記情報端末に送信する送信部、を備え、情報端末３は、表示部３７と、プリンタ１のエラーを解除する手順を複数の解除段階に対応して段階的に示す動画情報を記憶する動画記憶部３３１と、各解除段階においてプリンタ１から動画の表示を指示する信号を受信する度に、動画情報から次の手順を指示する動画を表示部３７に表示する表示制御部３０１と、を備える。そのため、情報端末３は、プリンタ１からの段階信号を受信する度に、受信した信号に対応した段階の動画を表示する。よって、プリンタ１に大容量のメモリを搭載することなくエラーの解除方法を動画で表示することが可能となる。
【００５７】
また、第１実施形態および第１実施形態の変形例によれば、情報端末３は、表示部３７と、プリンタ１で発生したエラーを解除する手順を複数のエラーの解除段階に対応して段階的に示す動画情報を記憶する動画記憶部３３１と、エラーの複数の解除段階においてプリンタ１から動画の表示を指示する信号を受信する度に、動画情報から次の手順を指示する動画を表示部３７に表示する表示制御部３０１と、を備える。そのため、情報端末３は、プリンタ１からの段階信号を受信する度に、受信した信号に対応した段階の動画を表示する。よって、プリンタ１に大容量のメモリを搭載することなくエラーの解除方法を動画で表示することが可能となる。
【００５８】
（第２実施形態）
ここからは、第２実施形態について説明する。第１実施形態および変形例における動画配信システム１０は、プリンタ１と情報端末３を備える。第２実施形態では、動画配信システム２０は、プリンタ１と動画配信サーバ５を備える。
【００５９】
図１３は、第２実施形態に係る動画配信システム２０を示す図である。図１３に示すように、動画配信システム２０は、プリンタ１と動画配信サーバ５を備える。プリンタ１と動画配信サーバ５は、例えば無線ＬＡＮ（Local  Area  Network）等の通信回線Ｌ２で相互に通信可能に接続される。
【００６０】
図１４は、第２実施形態に係るプリンタ１のハードウェア構成を示すブロック図である。第２実施形態におけるプリンタ１は、図２に示す構成とほぼ同一である。ただし、ＲＡＭ１３は、動画記憶部１３２を備える。動画記憶部１３２は、動画配信サーバ５から受信した、プリンタ１で発生したエラーを解除する手順を解除段階に対応して段階的に示す動画情報を記憶する。また、通信Ｉ／Ｆ２３は、通信回線Ｌ２と接続する。また、表示部１８は、動画記憶部１３２記憶されている動画情報に基づく動画を表示する。
【００６１】
ここからは、第２実施形態に係る動画配信システム２０の機能構成について説明する。具体的には、プリンタ１の機能構成と動画配信サーバ５の機能構成について説明する。図１５は、動画配信システム２０の機能構成を示す機能ブロック図である。プリンタ１の制御部１００は、制御プログラム部１４１に記憶され、ＲＡＭ１３に展開された制御プログラムに従うことで、送信部１０６、記憶制御部１０７、表示制御部１０８として機能する。
【００６２】
送信部１０６は、発生したエラーの解除段階において、エラー信号（動画の表示を指示する信号）を動画配信サーバ５に送信する。具体的には、送信部５０１は、プリンタ１にエラーが発生すると、エラーの種類を示すエラー番号を含む、段階信号であるエラー信号を動画配信サーバ５に送信し、その後にエラーの種類を示すエラー番号を含む段階信号を動画配信サーバ５に送信する。
【００６３】
記憶制御部１０７は、エラー信号および各段階信号に対応した段階の手順を示す動画情報を、動画配信サーバ５から受信して動画記憶部１３２に記憶する。具体的には、記憶制御部１０７は、段階信号であるエラー信号に対応した動画情報を動画配信サーバ５から受信して、動画記憶部１３２に記憶する。また、記憶制御部１０７は、段階信号に対応した段階の手順を示す動画情報を動画配信サーバ５から受信して動画記憶部１３２に記憶する。
【００６４】
表示制御部１０８は、動画記憶部１３２に記憶した動画情報に係る動画を表示する。
【００６５】
また、動画配信サーバ５の制御部５００は、制御プログラム部５４１に記憶され、ＲＡＭ５３に展開された制御プログラムに従うことで、受信部５０１、動画送信部５０２として機能する。
【００６６】
受信部５０１は、プリンタ１からエラーの種類を示すエラー番号を含む用紙エンド信号および段階信号を受信したかを判断する。
【００６７】
動画送信部５０２は、プリンタ１からエラー信号および段階信号を受信する毎に、受信したエラー信号または段階信号に対応した段階の手順を示す動画情報をプリンタ１に送信する。具体的には、動画送信部５０２は、プリンタ１からエラー信号を受信した場合には、エラー信号に対応した段階の手順を示す動画情報をプリンタ１に送信する。また、動画送信部５０２は、プリンタ１から段階信号を受信した場合には、当該段階信号に対応した段階の手順を示す動画情報をプリンタ１に送信する。
【００６８】
ここからは、第２実施形態のプリンタ１の制御について説明する。図１６は、第２実施形態のエラー処理に係るプリンタの制御処理の流れを示すフローチャートである。なお、図１６では、プリンタ１に収納された用紙がなくなった場合の用紙エンドのエラーの処理を一例として説明する。制御部１００は、発生したエラーが用紙エンドのエラーであるかを判断する（Ｓ１１１）。発生したエラーが用紙エンドのエラーであると判断した場合には（Ｓ１１１のＹｅｓ）、送信部１０６は、発生したエラーの種類を含む用紙エンド信号（エラー信号）と、用紙エンドのエラーを解除する手順を段階的に示す動画情報の配信を要求する信号を動画配信サーバ５に送信する（Ｓ１１２）。
【００６９】
次に制御部１００は、動画配信サーバ５から、Ｓ１１２で送信した要求に対する第１動画情報を受信したかを判断する（Ｓ１１３）。第１動画情報を受信するまで待機し（Ｓ１１３のＮｏ）、Ｓ１１２で送信した要求に対する第１動画情報を受信したと判断した場合には（Ｓ１１３のＹｅｓ）、記憶制御部１０７は、受信した第１動画情報を動画記憶部１３２に記憶する（Ｓ１１４）。そして表示制御部１０８は、動画記憶部１３２に記憶した第１動画情報に対応した第１動画を表示部１８に表示する（Ｓ１１５）。
【００７０】
次に制御部１００は、プリンタ１に用紙が補充されたかを判断する（Ｓ１２１）。用紙が補充されるまで待機し（Ｓ１２１のＮｏ）、用紙が補充されと判断した場合には（Ｓ１２１のＹｅｓ）、送信部１０６は、用紙補充信号（第１段階信号）と、用紙エンドのエラーを解除する手順を段階的に示す動画情報の配信を要求する信号を動画配信サーバ５に送信する（Ｓ１２２）。
【００７１】
次に制御部１００は、動画配信サーバ５から、Ｓ１２２で送信した要求に対する第２動画情報を受信したかを判断する（Ｓ１２３）。第２動画情報を受信するまで待機し（Ｓ１２３のＮｏ）、Ｓ１２２で送信した要求に対する第２動画情報を受信したと判断した場合には（Ｓ１２３のＹｅｓ）、記憶制御部１０７は、受信した第２動画情報を動画記憶部１３２に記憶する（Ｓ１２４）。そして表示制御部１０８は、動画記憶部１３２に記憶した第２動画情報に対応した第２動画を表示部１８に表示する（Ｓ１２５）。
【００７２】
次に制御部１００は、カバー１ａが閉止されたかを判断する（Ｓ１３１）。カバー１ａが閉止されるまで待機し（Ｓ１３１のＮｏ）、カバー１ａが閉止されたと判断した場合には（Ｓ１３１のＹｅｓ）、送信部１０６は、カバー閉止信号（第２段階信号）と、用紙エンドのエラーを解除する手順を段階的に示す動画情報の配信を要求する信号を動画配信サーバ５に送信する（Ｓ１３２）。
【００７３】
次に制御部１００は、動画配信サーバ５から、Ｓ１３２で送信した要求に対する第３動画情報を受信したかを判断する（Ｓ１３３）。第３動画情報を受信するまで待機し（Ｓ１３３のＮｏ）、Ｓ１３２で送信した要求に対する第３動画情報を受信したと判断した場合には（Ｓ１３３のＹｅｓ）、記憶制御部１０７は、受信した第３動画情報を動画記憶部１３２に記憶する（Ｓ１３４）。そして表示制御部１０８は、動画記憶部１３２に記憶した第３動画情報に対応した第３動画を表示部１８に表示する（Ｓ１３５）。そして制御部１００は、Ｓ１１に戻る。
【００７４】
また、Ｓ１１１において、発生したエラーが用紙エンドのエラーではないと判断した場合には（Ｓ１１１のＮｏ）、制御部１００は、発生した他のエラーに係るエラー処理を実行する（Ｓ１３６）。そして制御部１００は、Ｓ１１に戻る。
【００７５】
次に、第２実施形態に係る動画配信サーバ５の制御について説明する。図１７は、第２実施形態に係る動画配信サーバ５の制御処理の流れを示すフローチャートである。図１７に示すように、動画配信サーバ５の受信部５０１は、プリンタ１から、Ｓ１１２の処理に係る用紙エンド信号と第１段階の動画情報の配信を要求する信号を受信したかを判断する（Ｓ１４１）。用紙エンド信号と第１段階の動画情報の配信を要求する信号を受信したと判断した場合には（Ｓ１４１のＹｅｓ）、動画送信部５０２は、動画情報部５４２から、用紙エンド信号に含まれるエラー番号に対応付けられた第１動画情報を抽出して、プリンタ１に送信する（Ｓ１４２）。そして制御部５００は、Ｓ１４１に戻る。
【００７６】
また、第１段階の動画情報の配信を要求する信号の受信ではないと判断した場合には（Ｓ１４１のＮｏ）、受信部５０１は、プリンタ１から、Ｓ１２２の処理に係る用紙補充信号と第２段階の動画情報の配信を要求する信号を受信したかを判断する（Ｓ１４３）。用紙補充信号と第２段階の動画情報の配信を要求する信号を受信したと判断した場合には（Ｓ１４３のＹｅｓ）、動画送信部５０２は、動画情報部５４２から、用紙補充信号に含まれるエラー番号に対応付けられた第２動画情報を抽出して、プリンタ１に送信する（Ｓ１４４）。そして制御部５００は、Ｓ１０１に戻る。
【００７７】
また、第２段階の動画情報の配信を要求する信号の受信ではないと判断した場合には（Ｓ１４３のＮｏ）、受信部５０１は、プリンタ１から、Ｓ１３２の処理に係るカバー閉止信号と第３段階の動画情報の配信を要求する信号を受信したかを判断する（Ｓ１４５）。カバー閉止信号と第３段階の動画情報の配信を要求する信号を受信したと判断した場合には（Ｓ１４５のＹｅｓ）、動画送信部５０２は、動画情報部５４２から、カバー閉止信号に含まれるエラー番号に対応付けられた第３動画情報を抽出して、プリンタ１に送信する（Ｓ１４６）。そして制御部５００は、Ｓ１４１に戻る。
【００７８】
このような第２実施形態によれば、動画配信システム２０は、プリンタ１と、動画配信サーバ５とを備えた動画配信システムであって、プリンタ１は、動画記憶部１３２と、発生したエラーの複数の解除段階において動画の表示を指示する信号を動画配信サーバ５に送信する送信部１０６と、を備え、動画配信サーバ５は、プリンタ１において発生するエラーを解除する手順を複数の解除段階に対応して段階的に示す動画情報を記憶する動画情報部５４２と、各解除段階においてプリンタ１から段階信号を受信する度に、次の手順を指示する動画情報をプリンタ１に送信する動画送信部５０２と、を備え、プリンタ１は、動画送信部５０２によって送信された動画情報を動画配信サーバ５から受信して動画記憶部１３２に記憶する記憶制御部１０７と、記憶した動画情報に係る動画を表示する表示制御部１０８と、を備える。そのため、プリンタ１は、発生したエラーの複数の解除段階において動画の表示を指示する信号を動画配信サーバ５に送信し、動画配信サーバ５は、プリンタ１において発生するエラーを解除する手順を複数の解除段階に対応して段階的に示す動画情報を記憶し、各解除段階においてプリンタ１から段階信号を受信する度に、次の手順を指示する動画情報をプリンタ１に送信し、プリンタ１は、動画送信部５０２によって送信された動画情報を動画配信サーバ５から受信して動画記憶部１３２に記憶し、記憶した動画情報に係る動画を表示する。よって、プリンタ１に大容量のメモリを搭載することなくエラーの解除方法を動画で表示することが可能となる。
【００７９】
また、第２実施形態によれば、プリンタ１は、１３２動画記憶部と、発生したエラーの複数の解除段階において動画の表示を指示する信号を動画配信サーバ５に送信する送信部１０６と、前記動画配信サーバ５に送信した信号に対応した段階のエラーを解除するための手順を示す動画情報を動画配信サーバ５から受信して動画記憶部１３２に記憶する記憶制御部１０７と、記憶した動画情報に係る動画を表示部１８に表示する表示制御部１０８と、を備える。そのため、プリンタ１は、発生したエラーの複数の解除段階において動画の表示を指示する信号を動画配信サーバ５に送信し、動画配信サーバ５に送信した段階信号に対応した段階のエラーを解除するための手順を示す動画情報を動画配信サーバ５から受信して動画記憶部１３２に記憶し、記憶した動画情報に係る動画を表示部１８に表示する。よって、プリンタ１に大容量のメモリを搭載することなくエラーの解除方法を動画で表示することが可能となる。
【００８０】
以上、本発明の第１実施形態、第１実施形態の変形例、第２実施形態を説明したが、これらの実施形態および変形例は、例として提示したものであり、発明の範囲を限定することは意図していない。これらの実施形態および変形例は、その他の様々な形態で実施されることが可能であり、発明の要旨を逸脱しない範囲で、種々の省略、置き換え、変更を行うことができる。これらの実施形態および変形例は、発明の範囲や要旨に含まれるとともに、特許請求の範囲に記載された発明とその均等の範囲に含まれる。
【００８１】
例えば、実施形態では、プリンタ１は小型・計量であると説明した。しかしながらこれに限らず、プリンタ１は、小型・計量以外（例えば設置型）のプリンタであってもよい。
【００８２】
また、実施形態では、プリンタ１を動作機器の一例として説明した。しかしながらこれに限らず、エラーを処理することを表示する機器であれば、プリンタ１以外の機器であってもよい。
【００８３】
また、第１実施形態および変形例では、プリンタ１と情報端末３を動画配信システム１０とした。しかしながらこれに限らず、例えば、プリンタ１と情報端末３と動画配信サーバ５を動画配信システム１０としてもよい。
【符号の説明】
【００８４】
１      プリンタ
３      情報端末
５      動画配信サーバ
１０    動画配信システム
１７    操作部
１８    表示部
１９    印字部
２０    用紙搬送部
２１    用紙センサ
２２    カバーセンサ
３７    表示部
３８    表示部
５１    ＣＰＵ
５２    ＲＯＭ
５３    ＲＡＭ
５４    メモリ部
５５    バス
１００  制御部
１０１  送信部
１０６  送信部
１０７  記憶制御部
１０８  表示制御部
１３１  印字データ部
１３２  動画記憶部
３００  制御部
３０１  表示制御部
３３１  動画記憶部
３４１  制御プログラム部
５００  制御部
５０１  受信部
５０２  動画送信部
５４２  動画情報部
５４２１  エラー番号部
５４２２  段階動画記憶部
【先行技術文献】
【特許文献】
【００８５】
【特許文献１】特開２００３−２７４３７８号公報
【図１】
2020205499.tif 000003
【図２】
2020205499.tif 000004
【図３】
2020205499.tif 000005
【図４】
2020205499.tif 000006
【図５】
2020205499.tif 000007
【図６】
2020205499.tif 000008
【図７】
2020205499.tif 000009
【図８】
2020205499.tif 000010
【図９】
2020205499.tif 000011
【図１０】
2020205499.tif 000012
【図１１】
2020205499.tif 000013
【図１２】
2020205499.tif 000014
【図１３】
2020205499.tif 000015
【図１４】
2020205499.tif 000016
【図１５】
2020205499.tif 000017
【図１６】
2020205499.tif 000018
【図１７】
2020205499.tif 000019